(57)【要約】【課題】手間をかけずに配管の内面を洗浄することができる配管の洗浄システムを提供する。【解決手段】配管５０が配置されるラック７と、ラック７に配置された配管５０と接続可能な接続部８０，９０を有し、配管５０内に殺菌水Ｓを供給して配管５０を洗浄する洗浄装置とを備え、ラック７は床面上を走行可能とされていることを特徴とする。【選択図】図２
2014195792.tif 000002
【特許請求の範囲】
【請求項１】
配管が配置されるラックと、
前記ラックに配置された配管と接続可能な接続部を有し、前記配管内に殺菌水を供給して該配管を洗浄する洗浄装置とを備え、
前記ラックは床面上を走行可能とされていることを特徴とする配管の洗浄システム。
【請求項２】
前記接続部は、前記殺菌水を前記配管内に供給する側に設けられた給水側接続部と、前記配管内から前記殺菌水を排出側に設けられた排水側接続部とを有し、
前記給水側接続部は、
前記殺菌水が供給される給水側ヘッダー管と、
該給水側ヘッダー管に接続された複数の給水管と、
該給水管に設けられ、前記配管の一端と接続される給水側継手とを有し、
前記排水側接続部は、
前記配管から前記殺菌水を排出する排水側ヘッダー管と、
該排水側ヘッダー管に接続された複数の排水管と、
該排水管に設けられ、前記配管の他端と接続される排水側継手とを有することを特徴とする請求項１に記載の配管の洗浄システム。
【請求項３】
前記給水管及び前記排水管は、フレキシブル管であることを特徴とする請求項２に記載の配管の洗浄システム。
【請求項４】
前記接続部は、
前記殺菌水が供給される給水管と、
該給水管に設けられ、前記配管と接続される給水側継手と、
両端に前記配管と接続される継手がそれぞれ設けられた接続管と、
前記配管内から前記殺菌水を排出する排水管と、
該排水管に設けられ、前記配管と接続される排水側継手とを有することを特徴とする請求項１に記載の配管の洗浄システム。
【請求項５】
前記接続管は、フレキシブル管であることを特徴とする請求項４に記載の配管の洗浄システム。
【請求項６】
前記接続部は、
床面上を走行可能とされた基台と、
該基台に配置され、複数の前記配管と接続可能な複数の接続管とを備えることを特徴とする請求項１に記載の配管の洗浄システム。
【発明の詳細な説明】
【技術分野】
【０００１】
本発明は、配管の洗浄システムに関するものである。
【背景技術】
【０００２】
一般に、水道管等の本管を改修する場合には、改修工事中に断水しなくてよいように、取り外された本管の代替として仮設配管が布設される。この仮設配管は、環境意識の高まりなどから再利用されることが増えている。その際、改修工事の終了後、撤去した仮設配管の内面を殺菌して、別の改修工事に再利用される。
【０００３】
ここで、配管の洗浄システムとして、配管の内面を殺菌するための殺菌水を配管内に圧送する殺菌水製造装置と、配管が載置される配管ラックと、配管ラックに設けられ、配管と接続される給水側接続部及び排水側接続部とを備えるものが提案されている（下記特許文献１参照）。
【０００４】
このような配管の洗浄システムでは、仮置き場に仮置きされた配管を、洗浄装置まで運搬して、配管ラックの上に設置する。そして、配管と給水側接続部及び排水側接続部とを接続して洗浄する。
【先行技術文献】
【特許文献】
【０００５】
【特許文献１】特開２０１２−１４３６８３号公報
【発明の概要】
【発明が解決しようとする課題】
【０００６】
しかしながら、特許文献１に記載の配管の洗浄システムでは、洗浄するために、例えば仮置き場から台車等に配管を配置して搬出し、台車から配管ラックへ配管を載せかえて洗浄をし、洗浄後には再び配管ラックから配管を取り外して台車に載せかえて、仮置き場へ戻すという作業を行わなくてはならない。台車と配管ラックの配管の載せかえ作業は配管の本数に応じて行わなくてはならないため、手間がかかるという問題点がある。
【０００７】
本発明は上記の課題を解決するためになされたものであって、手間をかけずに配管の内面を洗浄することができる配管の洗浄システムを提供する。
【課題を解決するための手段】
【０００８】
上記目的を達成するために、本発明は以下の手段を採用している。
すなわち、本発明に係る配管の洗浄システムは、配管が配置されるラックと、前記ラックに配置された配管と接続可能な接続部を有し、前記配管内に殺菌水を供給して該配管を洗浄する洗浄装置とを備え、前記ラックは床面上を走行可能とされていることを特徴とする。
【０００９】
このように構成された配管の洗浄システムでは、ラックを床面上を走行させて、ラックに配置された配管を洗浄装置の所まで移動させる。ラックに配管を配置した状態で配管と洗浄装置の接続部とを接続すれば、配管の内面を洗浄することができる。そして、洗浄が終了すると、洗浄装置の接続部から配管を取り外して、ラックに配管を配置したままラックを床面上を走行させて所定の位置にラックを収容することで、配管を保管することができる。
【００１０】
また、本発明に係る配管の洗浄システムでは、前記接続部は、前記殺菌水を前記配管に供給する側に設けられた給水側接続部と、前記配管から前記殺菌水を排出側に設けられた排水側接続部とを有し、前記給水側接続部は、前記殺菌水が供給される給水側ヘッダー管と、該給水側ヘッダー管に接続された複数の給水管と、該給水管に設けられ、前記配管の一端と接続される給水側継手とを有し、前記排水側接続部は、前記配管から前記殺菌水を排出する排水側ヘッダー管と、該排水側ヘッダー管に接続された複数の排水管と、該排水管に設けられ、前記配管の他端と接続される排水側継手とを有することが好ましい。
【００１１】
このように構成された配管の洗浄システムでは、殺菌水が供給される給水側ヘッダー管に接続された複数の給水管に設けられた給水側継手を、それぞれラックに配置された配管の一端に接続する。また、殺菌水が排水する排水側ヘッダー管に接続された複数の排水管に設けられた排水側継手を、それぞれラックに配置された配管の他端に接続する。このように、ラックに配管を配置した状態のままで、配管と給水側継手及び排水側継手とを接続するだけで、配管の内面を洗浄することができる。また、洗浄が終了すると、給水側継手及び排水側継手から配管を取り外して、ラックを所定の位置に移動させれば、配管を保管することができる。
【００１２】
また、本発明に係る配管の洗浄システムでは、前記給水管及び前記排水管は、フレキシブル管であってもよい。
【００１３】
このように構成された配管の洗浄システムでは、給水側ヘッダー管（排水側ヘッダー管）とラックに配置された配管との位置関係に応じて、給水管（排水管）を所望の形状に変形させて、給水側継手及び排水側継手と配管とを接続することができる。よって、配管と接続部との接続を容易にすることができる。
【００１４】
また、本発明に係る配管の洗浄システムでは、前記接続部は、前記殺菌水が供給される給水管と、該給水管に設けられ、前記配管と接続される給水側継手と、両端に前記配管と接続される継手がそれぞれ設けられた接続管と、前記配管内から前記殺菌水を排出する排水管と、該排水管に設けられ、前記配管と接続される排水側継手とを有していてもよい。
【００１５】
このように構成された配管の洗浄システムでは、殺菌水が供給される給水管に設けられた給水側継手を、ラックに配置された第一の配管におけるラックの一方側に位置する端部に接続する。また、殺菌水を排水する排水管に設けられた排水側継手を、ラックに配置された第二の配管におけるラックの他方側に位置する端部に接続する。また、配管における接続されていない一方側の端部同士を互いに接続管で接続し、配管における接続されていない他方側の端部同士を互いに接続管で接続する。ここで、接続管は一対の配管の同方向側を互いに接続するため、接続管の長さを短くすることができる。よって、接続部を小型化することができる。
【００１６】
また、本発明に係る配管の洗浄システムでは、前記接続管は、フレキシブル管であってもよい。
【００１７】
このように構成された配管の洗浄システムでは、配管同士の位置関係に応じて、接続管を所望の形状に変形させて、配管同士を接続することができる。よって、配管と接続部との接続を容易にすることができる。
【００１８】
また、本発明に係る配管の洗浄システムでは、前記接続部は、床面上を走行可能とされた基台と、該基台に配置され、複数の前記配管と接続可能な複数の接続管とを備えていることが好ましい。
【００１９】
このように構成された配管の洗浄システムでは、接続部を床面上を走行させて、ラックの所まで移動させる。このラックに配管を配置した状態で、配管と洗浄装置の接続部とを接続すれば、配管の内面を洗浄することができる。よって、条件等に応じて、ラック又は接続部のいずれかを移動させて、配管と洗浄装置とを接続することができる。
【発明の効果】
【００２０】
本発明に係る配管の洗浄システムによれば、手間をかけずに配管の内面を洗浄することができる。
【図面の簡単な説明】
【００２１】
【図１】本発明の第一実施形態に係る洗浄システムを説明する概略構成図である。
【図２】本発明の第一実施形態に係る洗浄システムを構成する接続部と配管とが接続されていない状態の図である。
【図３】本発明の第一実施形態に係る洗浄システムを構成する接続部と配管とが接続されている状態の図である。
【図４】本発明の第一実施形態の変形例１に係る洗浄システムを構成する接続部と配管とが接続されている状態の図である。
【図５】本発明の第一実施形態の変形例２に係る洗浄システムを構成する接続部と配管とが接続されていない状態の側面図である。
【図６】本発明の第一実施形態の変形例２に係る洗浄システムを構成する接続部と配管とが接続されていない状態の部分断面図である。
【図７】本発明の第二実施形態に係る洗浄システムを構成する接続部と配管とが接続されていない状態の図である。
【図８】本発明の第二実施形態に係る洗浄システムを構成する接続部と配管とが接続されている状態の図である。
【図９】本発明の第三実施形態に係る洗浄システムを構成するラックの平面図である。
【図１０】本発明の第三実施形態に係る洗浄システムを構成するラックを一の方向から見た側面である。
【図１１】本発明の第三実施形態に係る洗浄システムを構成するラックを他の方向から見た側面である。
【図１２】本発明の第三実施形態に係る洗浄システムを構成する接続部を一の方向から見た側面である。
【図１３】本発明の第三実施形態に係る洗浄システムを構成する接続部を他の方向から見た側面である。
【図１４】本発明の第三実施形態に係る洗浄システムの要部を一の方向から見た側面図である。
【発明を実施するための形態】
【００２２】
以下、本発明の第一実施形態に係る洗浄システムについて説明する。
洗浄システムは、例えば、地中に埋設された水道管の本管の改修工事をする際に一時的に利用される仮設配管等の配管を殺菌洗浄し再利用できるようにするものである。
【００２３】
図１に示すように、洗浄システム１は、殺菌水Ｓの条件を制御する制御部３と、殺菌水Ｓを生成する殺菌水製造装置４と、殺菌水Ｓを貯留する殺菌水貯留タンク６とを備えている。また、洗浄システム１は、殺菌水貯留タンク６に設けられた流路管３５Ａに接続された給水側接続部８０（接続部）と、給水側接続部８０に接続された配管５０を配置するラック７と、ラック７に配置された配管５０に接続された排水側接続部９０（接続部）とを備えている。さらに、洗浄システム１は、配管５０を洗浄した殺菌水Ｓを貯留する排液タンク８と、配管５０以外の部材を殺菌洗浄する継手消毒タンク９と、排液タンク８の塩酸濃度を測定する塩酸濃度測定器１０とを備えている。
【００２４】
上記のうち、制御部３、殺菌水製造装置４、殺菌水貯留タンク６、給水側接続部８０、排水側接続部９０、排液タンク８、継手消毒タンク９及び塩酸濃度測定器１０が、配管５０を洗浄する洗浄装置２を構成している。
【００２５】
まず、洗浄対象となる配管５０について説明する。
図２に示すように、配管５０は、軸線Ｏ方向に延び樹脂で成形された管本体５１と、管本体５１の両端に設けられた短管部５２とを有している。
【００２６】
本実施形態では、管本体５１は、長尺の直管で形成されているが、他端に曲管部を有するベンド管や分岐部を有するチーズであってもよい。また、短管部５２の端部には、径方向外側に向かって張り出すフランジ５３Ａ，５３Ｂが設けられている。
【００２７】
次に、洗浄システム１について、詳細に説明する。
図１に示すように、制御部３は後述する殺菌水製造装置４より生成される殺菌水Ｓの濃度、殺菌水Ｓの送水量等を制御するものである。また、制御部３は、洗浄システム１にトラブルその他の不都合が生じた際に警報で該トラブルを報知できるようになっている。
【００２８】
殺菌水製造装置４は、弱酸性次亜水等の殺菌水Ｓを生成するものである。この殺菌水製造装置４は、原水を引く原水ライン１６と、開閉により原水を導入する電磁弁１７Ａと、弱酸性次亜水の原料水となる塩酸水溶液を貯留させたポンプ５が設けられた原料液タンク１８と、ｐＨ調整剤を貯留させたポンプ５が設けられたタンク１９と、これら原料水Ｐ、ｐＨ調整剤Ｑ及び原水を混合させる混合器２０とを有している。
【００２９】
この混合器２０とタンク１９とは、流路管１１Ａで連結されている。また、混合器２０と電磁弁１７Ａとは、流路管１１Ｂで連結されている。また、混合器２０と原料液タンク１８とは、流路管１１Ｃで連結されている。
【００３０】
また、原水ライン１６にはバルブ３０，３０・・が備えられており、流水量を調整できるようになっている。
【００３１】
殺菌水貯留タンク６は、殺菌水製造装置４に隣接して配置され、この殺菌水製造装置４の混合器２０と流路管３２により連結されている。この殺菌水貯留タンク６は、殺菌水製造装置４により製造された殺菌水Ｓを貯留する。
【００３２】
殺菌水貯留タンク６には、配管５０側に殺菌水Ｓを送水する流路管３５Ａが接続されている。また、殺菌水貯留タンク６には、殺菌水Ｓがオーバーフローするのを防止する流路管３５Ｂが接続されている。さらに、殺菌水貯留タンク６には、殺菌水貯留タンク６に溜まった殺菌水Ｓを排水する殺菌水排管３５Ｃが接続されている。
【００３３】
殺菌水排管３５Ｃには、バルブ３６が設けられている。このバルブ３６は、通常閉口されている。これにより、殺菌水貯留タンク６内には、殺菌水Ｓが貯留されるようになっている。
【００３４】
また、流路管３５Ａにも、バルブ３７Ａ，３７Ｂが設けられている。このバルブ３７Ａ，３７Ｂは、常時開口している。これにより、洗浄システム１を駆動すれば、殺菌水Ｓを配管５０側に送水できる。
【００３５】
また、流路管３５Ａには、電磁弁３８が設けられている。電磁弁３８は、殺菌水Ｓの配管５０への送水量を制御できるようになっている。
【００３６】
図１、図２及び図３に示すように、この流路管３５Ａの端部には、配管５０の一端のフランジ５３Ａと接続可能とされた給水側接続部８０が設けられている。給水側接続部８０は、殺菌水Ｓが供給される給水側ヘッダー管８１と、給水側ヘッダー管８１に接続された複数の給水管８６と、給水管８６に設けられた給水側継手８９とを有している。
【００３７】
給水側ヘッダー管８１は、連結部材８２を介して流路管３５Ａに接続されている。この給水側ヘッダー管８１には、複数の開口部８３が形成されている。
【００３８】
給水管８６は、フレキシブル管で構成されている。この給水管８６の一端は、給水側ヘッダー管８１に形成された開口部９３に接続されている。なお、図２においては、給水管８６は５本で構成されているが、本発明はこれに限られない。
【００３９】
給水側継手８９は、給水管８６の他端に設けられ、図示しないジョイント部材により、ラック７に配置された配管５０のフランジ５３Ａと接続可能とされている。
【００４０】
ラック７は、複数の配管５０が配置される基部７１と、基部７１に設けられ床面上を走行可能とされた車輪（不図示）とを有している。この車輪が床面上を走行することで、ラック７は基部７１に複数の配管５０を配置した状態で移動可能とされている。このラック７に配置された配管５０の他端のフランジ５３Ｂには、排水側接続部９０が接続されている。
【００４１】
排水側接続部９０は、ラック７に配置された配管５０内から殺菌水Ｓを排出する排水側ヘッダー管９１と、排水側ヘッダー管９１に接続された複数の排水管９６と、排水管９６に設けられた排水側継手９９とを有している。
【００４２】
排水側ヘッダー管９１は、連結部材９２を介して流路管３９Ａに接続されている。この排水側ヘッダー管９１には、複数の開口部９３が形成されている。
【００４３】
排水管９６は、フレキシブル管で構成されている。この排水管９６の一端は、排水側ヘッダー管９１に形成された開口部９３に接続されている。なお、図２においては、排水管９６は５本で構成されているが、本発明はこれに限られない。
【００４４】
排水側継手９９は、排水管９６の他端に設けられ、図示しないジョイント部材により、ラック７に配置された配管５０の他端のフランジ５３Ｂと接続可能とされている。
【００４５】
図１に示すように、排液タンク８は、配管５０を洗浄処理した後の殺菌水Ｓを貯留するタンクであり、流路管３９Ａ，３９Ｂに接続されている。
【００４６】
この排液タンク８には、配管５０の洗浄処理後の殺菌水Ｓの残留塩素濃度及びｐＨを測定する塩酸濃度測定器１０が設けられている。
【００４７】
また、排液タンク８には、配管５０以外の部材を洗浄する継手消毒タンク９に殺菌水Ｓを供給して、殺菌水Ｓを再利用させるための流路管４１が接続されている。また、排液タンク８には、殺菌水Ｓを排水する流路管４０が接続されている。これにより、塩酸濃度測定器１０が測定した殺菌水Ｓの残留塩素濃度及びｐＨに応じて、流路管４１又は流路管４０に殺菌水Ｓが選択的に供給されるようになっている。
【００４８】
この場合、殺菌水Ｓの流路管４１への供給と、流路管４０への供給との切換えは、バルブ３７Ｂ、その他各流路管４０，４１に設けられたバルブを制御する制御部３によりなされるようになっている。
【００４９】
次に、上記のように構成された配管の洗浄システム１の動作について説明する。
まず、図２に示すように、例えば、配管５０が配置されたラック７を、仮置き場等から洗浄装置２に向かって移動させる。
次に、図２及び図３に示すように、給水側のフランジ５３Ａと、給水側接続部８０の給水側継手８９とをジョイント部材で接続する。また、排水側のフランジ５３Ｂと、排水側接続部９０の排水側継手９９とをジョイント部材で接続する。このようにして、ラック７に配置された全ての配管５０について、フランジ５３Ａと給水側継手８９とを接続し、フランジ５３Ｂと給水側継手８９とを接続する。
【００５０】
次に、洗浄システム１に電源を入れ、図１に示す殺菌水製造装置４を駆動し殺菌水Ｓを製造するとともにこの殺菌水Ｓをポンプ等によって配管５０内に送り込む。
【００５１】
殺菌水製造装置４により製造された殺菌水Ｓは、一旦殺菌水貯留タンク６に送水される。この殺菌水Ｓは、殺菌水貯留タンク６に接続された流路管３５Ａ、流路管３５Ａに接続された給水側ヘッダー管８１、給水側ヘッダー管８１に接続された給水管８６及び給水側継手８９を流通して、配管５０内に供給される。
【００５２】
殺菌水Ｓは、配管５０内を流動する間に配管５０の内面に付着した雑菌等に反応し、配管５０内を滅菌する。配管５０内を通過した殺菌水Ｓは、雑菌とともに排水側継手９９、排水管９６、排水側ヘッダー管９１及び流路管３９Ａ、３９Ｂに流動し、排液タンク８に貯留される。
【００５３】
殺菌水Ｓが排液タンク８に貯留されると、排液タンク８内に設けられた塩酸濃度測定器１０が殺菌水Ｓの汚れ具合、すなわち残留塩素濃度およびｐＨを測定する。そして、該塩酸濃度測定器１０による測定結果に基づいて、例えば塩素濃度５０ｐｐｍ以上、かつｐＨが６〜６．５の範囲内の場合には、制御部３が流路管４１の図示しないバルブ及び流路管３５Ａのバルブ３７Ｂ等を開口する。これにより、殺菌水Ｓは、流路管４１，３５Ａを経由して給水側ヘッダー管８１又は継手消毒タンク９に送水される。そして、殺菌水Ｓは、配管５０又は配管５０以外の部材の例えば継手部材の洗浄に用いられる。また、塩酸濃度測定器１０による測定結果が塩素濃度５０ｐｐｍ以下で、ｐＨが６〜６．５以外である場合には、制御部３が該殺菌水Ｓの塩素濃度を５０ｐｐｍ以上、ｐＨが６〜６．５以上となるように調整する。そして、上記と同様に、殺菌水Ｓは、流路管４１，３５Ａを経由して給水側ヘッダー管８１又は継手消毒タンク９に送水されるか、又は排水するべく、排水口４２に接続された流路管４０に送水される。
【００５４】
所定の時間が経過し、配管５０内の殺菌処理が終了したことを確認して殺菌水Ｓの送水を停止し、配管５０内の液体が排出されたのを確認して洗浄システム１の駆動を停止する。
【００５５】
洗浄システム１の停止後、配管５０の給水側のフランジ５３Ａから給水側継手８９を取り外し、排水側のフランジ５３Ｂから排水側継手９９を取り外す。
【００５６】
そして、ラック７に洗浄された配管５０を配置した状態で、ラック７を仮置き場に移動させて、配管５０を保管する。
【００５７】
このように構成された洗浄システム１によれば、殺菌水Ｓが供給される給水側ヘッダー管８１に接続された複数の給水管８６に設けられた給水側継手８９を、ラック７に配置されたそれぞれの配管５０のフランジ５３Ａに接続する。また、殺菌水Ｓが排水する排水側ヘッダー管９１に接続された複数の排水管９６に設けられた排水側継手９９を、ラック７に配置されたそれぞれの配管５０のフランジ５３Ｂに接続する。このように、ラック７に配管５０を配置した状態で配管５０と給水側継手８９及び排水側継手９９とを接続して洗浄装置２を稼動させるだけで配管５０の内面を洗浄することができる。つまり、仮置き場等からラック７毎移動させて、ラック７に配管５０を配置した状態のまま配管５０の洗浄をすることができる。よって、例えば運搬用の台車から洗浄用の配管ラックへ配管を載せかえて、洗浄終了後に配管ラックから再び台車へ配管を載せかえる等の手間をかけずに、配管５０の内面を洗浄することができる。
【００５８】
また、給水管８６及び排水管９６がフレキシブル管であるため、ラック７に配置された配管５０の位置に応じて、給水管８６及び排水管９６を所望の形状に変形させて、給水管８６に設けられた給水側継手８９と配管５０とを接続するとともに、排水管９６に設けられた排水側継手９９と配管５０とを接続することができる。よって、配管５０と給水側接続部８０及び排水側接続部９０との接続を容易にすることができる。
【００５９】
（第一実施形態の変形例１）
また、上記に示す実施形態の変形例１について、主に図４を用いて説明する。
図４に示すように、流路管１３５Ａの端部が給水側ヘッダー管８１Ｚとして構成され、流路管１３９Ａの端部が排水側ヘッダー管９１Ｚとして構成されていてもよい。
【００６０】
つまり、第一実施形態に係る洗浄システム１では、給水側ヘッダー管８１（排水側ヘッダー管９１）が連結部材８２（９２）を介して流路管３５Ａ（３９Ａ）に接続されている。一方、本変形例１では、流路管１３５Ａ（１３９Ａ）の端部に複数の開口部１８３が直接形成されていて、当該端部が給水側ヘッダー管８１Ｚ（排水側ヘッダー管９１Ｚ）とされている。
【００６１】
このように構成された洗浄システム１Ｚでは、流路管１３５Ａ内を流通する殺菌水Ｓは、流路管１３５Ａの端部の給水側ヘッダー管８１Ｚから直接枝分かれされた複数の給水管８６…に供給される。給水管８６…を流通して配管５０…を流通した殺菌水Ｓは、排水管９６…を流通して排水側ヘッダー管９１Ｚから排水される。
【００６２】
（第一実施形態の変形例２）
また、上記に示す実施形態の変形例２について、主に図５及び図６を用いて説明する。
第一実施形態では、配管５０と給水側継手８９（排水側継手９９）は図示しないジョイント部材で接続されている。一方、第一実施形態の変形例２では、配管５０を接続するジョイント部材１０２は、図５及び図６に示すように、給水側継手８９と、給水側継手８９を支持する支持部１１０とを有している。また、これら給水側継手８９及び支持部１１０は一体として構成されている。
【００６３】
支持部１１０は、給水側継手８９と一体で構成された第一分割体１１１と、第一分割体１１１と対象形状をなす第二分割体１１２と、これら第一分割体１１１と第二分割体１１２とを連結する一対の連結部１２０，１３０とを有している。
【００６４】
第一分割体１１１の内側の形状は、給水側継手８９の端面と配管５０のフランジ５３Ａの端面とを突き付けた状態におけるそれぞれの外形状と対応したものである。また、第一分割体１１１の内側には、給水側継手８９が取り付けられている。例えば、第一分割体１１１と給水側継手８９とは、一体として樹脂で成形されている。
【００６５】
連結部１２０は、第一分割体１１１に取り付けられたボルト１２１Ａと、ボルト１２１Ａに螺合されたナット１２２Ａと、第二分割体１１２に取り付けられたボルト１２１Ｂと、ボルト１２１Ｂに螺合されたナット１２２Ｂと、これらボルト１２１Ａ，１２１Ｂに回動自在に挿通されたリンク部材１２３とを有している。
【００６６】
ボルト１２１Ａは、第一分割体１１１から給水側継手８９の径方向外側に突出する一対の取付部１１２Ａ，１１３Ａに穿設された穴（不図示）に嵌入されている。同様に、ボルト１２１Ｂも、第二分割体１１２から径方向外側に突出する一対の取付部１１２Ｂ，１１３Ｂに穿設された穴（不図示）に嵌入されている。
【００６７】
リンク部材１２３には、給水側継手８９の軸線Ｏ方向に向かって貫通する穴（不図示）が二つ穿設されている。リンク部材１２３の穴には、それぞれボルト１２１Ａ，１２１Ｂが嵌入されている。また、リンク部材１２３は、一対の取付部１１２Ａ，１１３Ａの間に設けられている。
【００６８】
この構成により、第一分割体１１１と第二分割体１１２とは、リンク部材１２３を介して回動可能に連結されている。つまり、第二分割体１１２が、図１に示す状態から、リンク部材１２３を中心にして紙面上方に向かって回動して、第二分割体１１２の内面１１２Ｚが第一分割体１１１の内面１１１Ｚに対向する位置まで回動可能とされている。
【００６９】
また、連結部１３０は、第一分割体１１１に設けられたボルト１３１と、ボルト１３１に嵌入されたデンデンボルト１３２と、デンデンボルト１３２に挿通されたナット１３３
と、第二分割体に設けられた一対の取付部１４２Ｂ，１４３Ｂとを有している。
【００７０】
ボルト１３１は、第一分割体１１１から給水側継手８９の径方向外側に突出する一対の取付部１４２Ａ，１４３Ａに穿設された穴（不図示）に嵌入されている。
【００７１】
デンデンボルト１３２には、給水側継手８９の軸線Ｏ方向に向かって穴（不図示）が穿設されている。デンデンボルト１３２の穴には、ボルト１３１が挿通されている。また、デンデンボルト１３２にはナット１３３が挿通されている。
【００７２】
一対の取付部１４２Ｂ，１４３Ｂは、第一分割体１１１と第二分割体１１２とが対向した状態で、第二分割体１１２から給水側継手８９の径方向外側に向かって突出するように形成されている。
なお、排水側の配管５０と接続されるジョイント部材は、上記に示す給水側の配管５０と接続されるジョイント部材１０２と同様の構成であるため、その説明を省略する。
【００７３】
このように構成されたジョイント部材１０２では、第一分割体１１１の内面１１１Ｚに配管５０のフランジ５３Ａを配置して、給水側継手８９の端面にフランジ５３Ａの端面を突き付ける。第二分割体１１２がリンク部材１２３を中心に回動すると、第一分割体１１１の内面１１１Ｚと第二分割体１１２の内面１１２Ｚとが対向する。そして、デンデンボルト１３２がボルト１３１を中心に回動すると、ボルト１３１が一対の取付部１４２Ｂ，１４３Ｂ間に配置されるとともに、ボルト１３１に挿通されたナット１３３が取付部１４２Ｂ，１４３Ｂの外面に配置される。この状態でナット１３３をボルト１３１に対して螺合することで、配管５０と給水側継手８９とを接続することができる。よって、ジョイント部材１０２には元々給水側継手８９が設けられているため、給水側継手８９と配管５０のフランジ５３との位置合わせが容易であるため、作業性を向上させることができる。
【００７４】
（第二実施形態）
以下、本発明の第二実施形態に係る洗浄システム２０１について、主に図７及び図８を用いて説明する。
この実施形態において、前述した実施形態で用いた部材と同一の部材には同一の符号を付して、その説明を省略する。
【００７５】
本実施形態に係る洗浄システム２０１は、第一実施形態に係る洗浄システム１の給水側接続部８０及び排水側接続部９０からなる接続部の構成を変更したものであって、それ以外の構成は第一実施形態に係る洗浄システム１と同一である。
【００７６】
接続部２０２は、殺菌水Ｓが供給される給水管２１１と、給水管２１１に設けられた給水側継手２１２と、配管５０から殺菌水Ｓを排出する排水管２２１と、排水管２２１に設けられた排水側継手２２２と、配管５０同士を接続する接続管２２３とを有している。
【００７７】
給水管２１１は、連結部材２２９を介して流路管３５Ａに接続されている。
給水側継手２１２は、給水管２１１に設けられ、図示しないジョイント部材により、ラック７に配置された第一の配管５０Ｓの一方側（図３に示す紙面左側）のフランジ５３Ａに接続可能とされている。
【００７８】
排水管２２１は、連結部材２２９を介して流路管３９Ａ，３９Ｂに接続されている。
排水側継手２２２は、排水管２２１に設けられ、図示しないジョイント部材により、ラック７に配置された第二の配管５０Ｔの他方側（図３に示す紙面右側）のフランジ５３Ｂと接続可能とされている。
【００７９】
接続管２２３は、フレキシブル管で形成されるとともに、両端に配管５０と接続される継手２２３Ａ，２２３Ａが設けられている。
【００８０】
次に、上記のように構成された接続部２０２を配管５０に接続する方法について説明する。
給水管２１１に設けられた給水側継手２１２を、第一の配管５０Ｓの一方側のフランジ５３Ａに接続する。また、排水管２２１に設けられた排水側継手２２２を、第二の配管５０Ｔの他方側のフランジ５３Ｂに接続する。
【００８１】
次に、第一の配管５０Ｓの他方側のフランジ５３Ｂと、第三の配管５０Ｕの他方側のフランジ５３Ｂとを、接続管２２３にて接続する。次に、第三の配管５０Ｕの一方側のフランジ５３Ａと、第四の配管５０Ｖの一方側のフランジ５３Ａとを、接続管２２３にて接続する。
【００８２】
この作業を全ての配管５０…について行い、最後の配管５０の一方側のフランジ５３Ａと、第二の配管５０Ｔの一方側のフランジ５３Ａとを、接続管２２３にて接続する。
【００８３】
そして、洗浄装置２（図１参照）を稼動させると、給水管２１１から供給された殺菌水Ｓは、第一の配管５０Ｓを一方側から他方側に向かって流通して、第一の配管５０Ｓの他方側に接続された接続管２２３を経由して、第三の配管５０Ｕに導入される。次に、第三の配管５０Ｕを他方側から一方側に向かって流通して、第三の配管５０Ｕの一方側に接続された接続管２２３を経由して、第四の配管５０Ｖに導入される。このように、殺菌水Ｓが全ての配管５０…を流通して、最後に第二の配管５０Ｔを一方側から他方側に流通して、排水管２２１から排水される。
【００８４】
このように構成された配管の洗浄システム２０１では、複数の配管５０…において、第一の配管５０Ｓの一方側のフランジ５３Ａ及び第二の配管５０Ｔの他方側のフランジ５３Ｂ以外のフランジ５３Ａ，５３Ｂは、接続管２２３に接続される。ここで、接続管２２３は一対の配管５０，５０の同方向側を互いに接続するため、接続管２２３を構成するフレキシブル管の長さを短くすることができる。よって、接続部２０２、しいては洗浄システム２０１全体を小型化することができる。
【００８５】
（第三実施形態）
以下、本発明の第三実施形態に係る洗浄システム３０１について、主に図９から図１４を用いて説明する。
この実施形態において、前述した実施形態で用いた部材と同一の部材には同一の符号を付して、その説明を省略する。
【００８６】
本実施形態に係る洗浄システム３０１は、第一実施形態に係る洗浄システム１のラック７、給水側接続部８０及び排水側接続部９０の構成を変更したものであって、それ以外の構成は第一実施形態に係る洗浄システム１と同一である。
【００８７】
図９から図１１に示すように、ラック３０７は、床面上を走行可能とされた車輪３１０…が設けられた基台３１１と、基台３１１から立設された複数の支持枠３１２と、対向する支持枠３１２同士に取り付けられた支持板３１３とを有している。このラック３０７は、平面視長方形とされている。
【００８８】
支持枠３１２には、後述する接続台車４０７に設けられたバー４３１と係合可能なフック３３１が設けられている。
【００８９】
支持板３１３は、ラック３０７の短手方向に対向する支持枠３１２同士に架け渡されている。この支持板３１３は、上下方向及びラック３０７の長手方向に離間して、支持枠３１２に複数設けられている。
【００９０】
また、支持板３１３は、支持枠３１２に対して着脱可能に設けられている。例えば、支持板３１３の両端には突起（不図示）が設けられ、支持枠３１２にはスリット孔（不図示）が設けられている。そして、支持板３１３の突起を支持枠３１２のスリット孔に係合させることで、支持板３１３を支持枠３１２に取り付けることができる。また、支持板３１３の突起を支持枠３１２のスリット孔から取り外すことで、支持板３１３を支持枠３１２から取り外すことができる。
なお、支持板３１３と支持枠３１２との取付構造は上記のように、スリット孔に突起を係合させる構造に限られず、例えばボルト、ナットによる螺合等任意の構造であってよい。
【００９１】
また、支持板３１３には、配管５０の外形状に対応して下方に向かって凹む凹部（不図示）が、所定の間隔で複数設けられている。これら凹部に配管５０の下部が配置されている。
【００９２】
接続台車４０７（接続部）は、床面上を走行可能とされた車輪４１０が設けられた基台４１１と、基台４１１から立設された複数の支持枠４１２と、対向する支持枠４１２同士に取り付けられた支持板４１３とを有している。
【００９３】
支持枠４１２には、ラック３０７の支持枠３１２に設けられたフック３３１と係合可能なバー４３１が設けられている。
【００９４】
支持板４１３は、接続台車４０７の対向する支持枠４１２同士に架け渡されている。この支持板４１３は、上下方向に離間して、支持枠４１２に複数設けられている。本実施形態では、接続台車４０７には、接続台車４０７とラック３０７とが対向した状態でラック３０７に設けられた支持板３２３と対応する高さに、支持板４１３が設けられている。
【００９５】
また、支持板４１３には、接続台車４０７とラック３０７とが対向した状態でラック３０７に配置された配管５０…と対応する位置に、接続管４２０…が設けられている。
【００９６】
接続管４２０は、一端に配管５０のフランジ５３と接続可能とされたフランジ４２１が設けられ、他端にヘッダー管４２２が設けられている。
【００９７】
ヘッダー管４２２は、同じ支持板４１３に支持された複数の接続管４２０…の端部を、互いに接続している。このヘッダー管４２２には、流路管３５Ａ（３９Ａ）（図１参照）と連結される流路管４２６が設けられている。
なお、ヘッダー管４２２に直接流路管３５Ａ（３９Ａ）が設けられていてもよい。この場合には、流路管３５Ａが途中で、支持板４１３の枚数に応じて複数に分岐されて形成されている。
【００９８】
このように構成された洗浄システム４０１によれば、ラック３０７に対して一対の接続台車４０７，４０７を床面上を走行させて、ラック３０７の両側に接続台車４０７，４０７を配置する。このラック３０７に配管５０…を配置した状態で、ラック３０７の支持枠３１２に設けられたフック３３１に、接続台車４０７の支持枠４１２に設けられたバー４３１を係合させる。さらに、配管５０のフランジ５３と接続台車４０７に搭載された接続管４２０のフランジ４２１とを接続して、接続管４２０のヘッダー管４２２，４２２を流路管３５Ａ，３９Ａに接続すれば、配管５０…の内面を洗浄することができる。よって、条件等に応じて、ラック３０７又は接続台車４０７のいずれかを移動させて、配管５０と洗浄装置２（図１参照、以下同じ）とを接続して、洗浄することができる。
【００９９】
また、接続台車４０７に配置された接続管４２０は、ラック３０７に配置された配管５０の位置と対応する位置に配置されている。よって、ラック３０７と接続台車４０７とを互いに接近させることで、複数の配管５０…と複数の接続管４２０…との位置が同時に決まって、互いに接続させることができる。したがって、複数の配管５０のフランジ５３の位置と、接続管４２０のフランジ４２１の位置とを個々に合わせる必要がないため、配管５０と洗浄装置２との接続の作業性を向上させることができる。
【０１００】
また、上述した実施の形態において示した製造手順、あるいは各構成部材の諸形状や組み合わせ等は一例であって、本発明の主旨から逸脱しない範囲において設計要求等に基づき種々変更可能である。
【０１０１】
なお、第二実施形態において、ラック７に配置される配管５０の本数が奇数本の場合には、上記に示すとおり、全ての配管５０を流路管３５Ａ，３９Ａ及び接続管２２３に接続して、洗浄することができる。
一方、ラック７に配置される配管５０の本数が偶数本の場合には、以下に示す方法により洗浄することができる。
流路管３５Ａ，３９Ａをともに軸線Ｏ方向の一方側に配置する。例えば、流路管３５Ａ，３９Ａを軸線Ｏ方向の一方側（図８に示す紙面左側）に配置する。そして、軸線Ｏ方向の一方側では、給水管２１１に設けられた給水側継手２１２と第一の配管５０Ｓのフランジ５３Ａとを、接続管２２３で接続する。また、排水管２２１に設けられた排水側継手２２２と第二の配管５０Ｔのフランジ５３Ａとを、接続管２２３で接続する。さらに、第三の配管５０Ｕのフランジ５３Ａと第四の配管５０Ｖのフランジ５３Ａとを、接続管２２３で接続する。一方、軸線Ｏ方向の他方側（図８に示す紙面右側）では、第一の配管５０Ｓのフランジ５３Ｂと第三の配管５０Ｕのフランジ５３Ｂとを、接続管２２３で接続する。また、第二の配管５０Ｔのフランジ５３Ｂと第四の配管５０Ｖのフランジ５３Ｂとを、接続管２２３で接続して、洗浄することができる。
【０１０２】
または、ラック７に配置される配管５０の本数が偶数本の場合には、１本の配管５０を残して他の配管５０…を、上記の第二実施形態に示すように配置して洗浄する。そして、余った１本の配管５０については次回の洗浄時に、他のラックに配置された配管とともに洗浄することとしてもよい。
【０１０３】
または、偶数本の配管５０を、上記の第二実施形態に示すように配置して、一の配管５０の軸線Ｏ方向の一方側のフランジ５３Ａと他の配管の軸線Ｏ方向の他方側のフランジ５３Ｂとを、長く形成された接続管で接続する。そして、流路管３５Ａ，３９Ａ、残りの配管５０のフランジ５３Ａ，５３Ｂ…は、第二実施形態と同様に、軸線Ｏ方向の一方側において、給水側継手２１２とフランジ５３Ａとを接続管２２３で接続するとともに、フランジ５３Ａ，５３Ａ同士を接続管２２３で接続する。一方、軸線Ｏ方向の他方側において、排水側継手２２２とフランジ５３Ｂとを接続管２２３で接続するとともに、フランジ５３Ｂ，５３Ｂ同士を接続管２２３で接続して、洗浄することとしてもよい。
【符号の説明】
【０１０４】
１…洗浄システム１  ７…ラック７  ５０…配管５０  ５１…管本体５１  ５２…短管部５２  ５３…フランジ５３  ７１…基部７１  ７２…車輪７２  ８０…給水側接続部８０  ８１…給水側ヘッダー管８１  ８２…連結部１２０材９２  ８３…開口部９３  ８６…給水管２１１  ８９…給水側継手２１２  ９０…排水側接続部９０  ９１…排水側ヘッダー管９１  ９２…連結部１２０材９２  ９３…開口部９３  ９６…排水管２２１  ９９…排水側継手２２２  １０２…ジョイント部材１０２  １１０…支持部１１０  １１１…第一分割体１１１  １１１Ａ…取付部１１２Ａ  １１２…第二分割体１１２  １１２Ａ…取付部１１２Ａ  １２０…連結部１２０  １２１…ボルト１２１  １２２…ナット１２２  １２３…リンク部材１２３  ２０２…接続部２０２  ２１１…給水管２１１  ２１２…給水側継手２１２  ２２１…排水管２２１  ２２２…排水側継手２２２  ２３０…接続管
【図１】
2014195792.tif 000003
【図２】
2014195792.tif 000004
【図３】
2014195792.tif 000005
【図４】
2014195792.tif 000006
【図５】
2014195792.tif 000007
【図６】
2014195792.tif 000008
【図７】
2014195792.tif 000009
【図８】
2014195792.tif 000010
【図９】
2014195792.tif 000011
【図１０】
2014195792.tif 000012
【図１１】
2014195792.tif 000013
【図１２】
2014195792.tif 000014
【図１３】
2014195792.tif 000015
【図１４】
2014195792.tif 000016